(57)【特許請求の範囲】
【請求項１】
鉄芯、鉄芯に巻いたコイル及び永久磁石からなる電磁石ブロックを端子と共に合成樹脂で一体にモールドしてブロック化してあるボディブロックを備え、コイルへの通電にて接点開閉をおこなう電磁継電器であって、鉄芯の両端部を樹脂ブロック体の内部にインサート成形してコイルボビンブロックが形成され、樹脂ブロック体には鉄芯に巻いたコイルの巻線部分から導出された端部線を結線する結線端子が突設され、端部線の先端部が結線端子に結線され、コイルの端部線が臨む樹脂ブロック体には、樹脂ブロック体が端部線から離れる傾斜逃げ面が形成され、コイルの巻線部分からの導出始端が傾斜逃げ面の始端部のエッジ部よりも端部線の先端側に位置して成ることを特徴とする電磁継電器。
【発明の詳細な説明】
【０００１】
【産業上の利用分野】
本発明は、電磁継電器に関し、詳しくは、コイルブロックにおけるコイルの端部線の損傷を回避しようとする技術に係るものである。
【０００２】
【従来の技術】
従来、図６に示すように、鉄芯２の両端部を樹脂ブロック体１２′の内部にインサート成形してコイルボビンブロック２４が形成され、樹脂ブロック体１２′にはコイル１の端部線１ａを結線する結線端子１２ａが突設され、鉄芯２に巻回したコイル１の端部線１ａが結線端子１２ａに結線されるのである。
【０００３】
【発明が解決しようとする課題】
ところがこのような構成のものにおいては、図６に示すように、コイル１の端部線１ａが臨む樹脂ブロック体１２′には端部線１ａの始端よりも更に先端側にエッジ部Ｅが形成され、かかるエッジ部Ｅにおいて、端部線１ａが擦られてポリウレタンのような被膜が容易に剥離し、短絡が生じ、接点開閉機能が大きく低下されるという問題があった。
【０００４】
本発明はこのような問題を解消しようとするものであり、その目的とするところは、簡単な改良により、コイルの端部線が損傷されることがなく、しかして、接点開閉機能を安定化できる電磁継電器を提供するにある。
【０００５】
【課題を解決するための手段】
本発明は、鉄芯２、鉄芯２に巻いたコイル１及び永久磁石３からなる電磁石ブロック１４を端子２７と共に合成樹脂で一体にモールドしてブロック化してあるボディブロック２１を備え、コイル１への通電にて接点開閉をおこなう電磁継電器であって、鉄芯２の両端部を樹脂ブロック体１２の内部にインサート成形してコイルボビンブロック２４が形成され、樹脂ブロック体１２には鉄芯２に巻いたコイル１の巻線部分から導出された端部線１ａを結線する結線端子１２ａが突設され、端部線１ａの先端部が結線端子１２ａに結線され、コイル１の端部線１ａが臨む樹脂ブロック体１２には、樹脂ブロック体１２が端部線１ａから離れる傾斜逃げ面１２ｃが形成され、コイル１の巻線部分からの導出始端が傾斜逃げ面１２ｃの始端部のエッジ部Ｅよりも端部線１ａの先端側に位置して成ることを特徴とするものである。
【０００６】
【作用】
コイル１の端部線１ａが臨む樹脂ブロック体１２には、樹脂ブロック体１２が端部線１ａから離れる傾斜逃げ面１２ｃが形成され、コイル１の巻線部分からの導出始端が傾斜逃げ面１２ｃの始端部のエッジ部Ｅよりも端部線１ａの先端側に位置していて、コイル１の端部線１ａは従来のようにエッジ部に圧接されてその被膜が剥離されるようなことがなく、端部線１ａの短絡を回避し、接点開閉機能を損なうようなことがないのである。
【０００７】
【実施例】
本発明の電磁継電器Ａは、図１及び図２に示すように、鉄芯２、コイル１及び永久磁石３からなる電磁石ブロック１４を端子２７と共に合成樹脂で一体にモールドしてブロック化してある。なお、このブロックを以下ボディブロック２１と呼ぶ。このボディブロック２１上にブロック化された接極子４を載置した状態で、カバー１３を被着して構成される。
【０００８】
電磁石ブロック１４は、図２に示すように、略コ字状の鉄芯２を樹脂ブロック体１２としてのコイルボビン２２にインサート成形することで鉄芯２にコイルボビン２２を一体形成し、コイルボビン２２間の鉄芯２にコイル１を巻装し、鉄芯２の両側片２ａ間に永久磁石３を介装して形成してある。ここで、鉄芯２の磁極部となる両側片２ａの先端部は、コイルボビン２２の鍔部２２ａから露呈させてある。また、上記永久磁石３は中央部と両端部とが異極に着磁されている。
【０００９】
上記コイルボビン２２の夫々の鍔部２２ａには、コイル１の両端を接続する結線端子１２ａとしての接続片２５と、この接続片２５と一体となった固定片２６とを植設してあり、鉄芯２の両側の上面からは位置決め突起２３を突設してある。
【００１０】
上記電磁石ブロック１４は、端子２７と共に合成樹脂でモールドしてボディブロック２１として一体形成される。端子２７としては、基端に固定接点８，９が形成された固定接点端子２７１ と、基端に後述する可動接点ばね５のヒンジばね片５ａが固着される固着片２７ａが形成された共通接点端子２７２ と、コイル１に通電を行うコイル端子２７３ とを備える。この電磁継電器Ａは２回路タイプであるので、電磁石ブロック１４の両側に、２本の固定接点端子２７１ ，２本の共通接点端子２７２ 及び２本のコイル端子２７３
が夫々植設される。
【００１１】
接極子４は、平板状の接極子主体４ａと、この接極子主体４ａに一体に取り付けられた可動接点ばね５とで構成され、接極子主体４ａと可動接点ばね５とは合成樹脂でモールドして一体成形し、２回路タイプであるので、接極子主体４ａの両側に２本の可動接点ばね５を設けてある。
【００１２】
上記可動接点ばね５の両端には夫々可動接点６，７が固着され、中央部の一側部からヒンジばね片５ａを突設してある。ヒンジばね片５ａは上記共通接点端子２７２ の固着片２７ａに固着され、これにより可動接点ばね５が共通接点端子２７２ に電気的に接続される。
【００１３】
以下、ヒンジばね片５ａの構造について説明する。本実施例の電磁継電器Ａでは、上記ヒンジばね片５ａの可動接点ばね５からの延出部の基部を、接極子４のセンター位置、つまりは接極子主体５ａの揺動支点としての突条の形成位置からずらせた位置から延出してある。そして、ヒンジばね片５ａの先端を接極子４のセンター位置で共通接点端子２７２
の固着片２７ａに固着してある。
【００１４】
このようにヒンジばね片５ａの可動接点ばね５からの延出位置を接極子４のセンター位置からずらすと、接極子４の揺動支点の両側のばね負荷をアンバランスとすることができ、ヒンジばね片５ａのばね力を、永久磁石３による接極子４を鉄芯２の磁極面に吸着させる起磁力よりも大きくすれば、永久磁石３による接極子４と鉄芯２の磁極面との間の吸着力に抗して接極子４を一定状態に復帰回動させることができる。従って、電磁継電器Ａが単安定動作する。
【００１５】
上記接極子４をボディブロック２１の永久磁石３上に載置して、図３に示すカバー１３を被嵌する。このカバー１３は下面が開口する箱状であり、上面の一つのコーナ部に内部を封止するための封止部１３ａを形成してある。
【００１６】
ところで、図１に示すように、コイル１の端部線１ａが臨む樹脂ブロック体１２には端部線１ａの始端よりも充分に手前から端部線１ａから離れる傾斜逃げ面１２ｃが形成されている。
【００１７】
このように、コイル１の端部線１ａが臨む樹脂ブロック体１２には端部線１ａの始端よりも充分に手前から端部線１ａから離れる傾斜逃げ面１２ｃが形成されることで、コイル１の端部線１ａは従来のようにエッジ部に圧接されてその被膜が剥離されるようなことがなく、端部線１ａの短絡を回避し、接点開閉機能を損なうようなことがないのである。
【００１８】
図５は永久磁石３を鉄芯２の側片２ａ，２ａ間にかしめ接続する作用を示していて、側片２ａの内面には予め傾斜面２ｂを形成しておくことで、図５（ａ）の矢印イ方向からのかしめ接続において、その接続後においては、同図（ｂ）に示すように、永久磁石３と側片２ａ間に隙間なく接続でき、隙間ができることで磁着力の低下を抑制するようにしてある。
【００１９】
【発明の効果】
本発明は上述のように、コイルの端部線が臨む樹脂ブロック体には、樹脂ブロック体が端部線から離れる傾斜逃げ面が形成され、コイルの巻線部分からの導出始端が傾斜逃げ面の始端部のエッジ部よりも端部線の先端側に位置しているから、コイルの端部線は従来のようにエッジ部に圧接されてその被膜が剥離されるようなことがなく、端部線の短絡を回避し、接点開閉機能を損なうようなことがないという利点がある。
【図面の簡単な説明】
【図１】  本発明の一実施例の一部破断した斜視図である。
【図２】  同上の製造工程を示す斜視図である。
【図３】  同上の分解斜視図である。
【図４】  同上の断面図である。
【図５】  （ａ）は鉄芯間に永久磁石を挿合する作用説明図、（ｂ）は挿合後の拡大側面図である。
【図６】  従来例の一部破断した斜視図である。
【符号の説明】
１      コイル
１ａ    端部線
２      鉄芯
３      永久磁石
１２    樹脂ブロック体
１２ａ  結線端子
１２ｃ  傾斜逃げ面
２１    ボディブロック
２４    コイルボビンブロック
２７    端子
E  エッジ部
【図１】
0004015705.tif 000002
【図２】
0004015705.tif 000003
【図３】
0004015705.tif 000004
【図４】
0004015705.tif 000005
【図５】
0004015705.tif 000006
【図６】
0004015705.tif 000007